(57)【要約】【課題】  ソファを横長にした場合でも座部に弾力ムラが生じず、どの着座位置でも均一な座り心地を得ることができ、しかも、構造が簡単で製造コスト面でも有利なソファの座部スプリング構造を提供すること。【解決手段】  クッション部材Ｃが載置される上面部を備え、かつ、この上面中央に矩形状或いは楕円状の開口部11が形成された座フレーム１と；この座フレーム１の開口周縁12の対向する長辺部12a・12aおよび隣り合う長辺部12aと短辺部12bに両端が固定されて、開口部11全体に斜めに交差して張設された複数のストレッチベルト２・２…とを含んで構成し、前記座フレーム１の開口部11上に配置されたクッション部材Ｃに荷重が加えられたとき、前記斜め張りされたストレッチベルト２・２…によってクッション部材Ｃ全体を偏りなく弾性支持した。【選択図】  図１
0003161605.tif 000002
【実用新案登録請求の範囲】
【請求項１】
クッション部材Ｃが載置される上面部を備え、かつ、この上面中央に矩形状或いは楕円状の開口部11が形成された座フレーム１と；この座フレーム１の開口周縁12の対向する長辺部12a・12a同士および隣り合う長辺部12aと短辺部12bに両端が固定されて、開口部11全体に斜めに交差して張設された複数のストレッチベルト２・２…とを含んで構成され、
前記座フレーム１の開口部11上に配置されたクッション部材Ｃに荷重が加えられたとき、前記斜め張りされたストレッチベルト２・２…によってクッション部材Ｃ全体が偏りなく弾性支持されることを特徴とするソファの座部スプリング構造。
【請求項２】
異なる向きに張られたストレッチベルト２・２’が上下に絡んだ状態に編成されていることを特徴とする請求項１記載のソファの座部スプリング構造。
【請求項３】
ストレッチベルト２が、芯材である弾性糸に被覆糸を巻き付けて成るカバーリング糸の布帛から作製されていることを特徴とする請求項１または２に記載のソファの座部スプリング構造。
【考案の詳細な説明】
【技術分野】
【０００１】
本考案は、ソファの座部構造の改良、詳しくは、横長のソファであっても座部の座り心地にムラが生じることがなく、しかも、構造も非常に簡単なソファの座部スプリング構造に関するものである。
【背景技術】
【０００２】
周知のとおり、ソファの座部は、スプリングを備えた座フレーム上にクッション部材を載置して構成されたものが多く、座フレームのスプリングには、ゴム糸から成る伸縮ベルト(商品名「ウェービングテープ」)がよく用いられる。
【０００３】
また、上記伸縮ベルトは、座フレームの枠内に縦や横に架け渡して張設されるのが一般的であり(例えば、特許文献１参照)、従来においては伸縮ベルトを縦横に張設するための専用の器具も開発されている(特許文献２参照)。
【０００４】
しかしながら、上記伸縮ベルトを縦横に張った座部のスプリング構造は、正方形型のスツールのようなタイプでは特に問題を生じないものの、複数人が座れる横長のソファにおいては、横方向に架け渡す伸縮ベルトが非常に長くなって座部の端側と中央部分とで弾力性にムラが生じる問題があった。
【０００５】
具体的には、図７に示すように横方向に張った伸縮ベルトの固定端部に近い座部端側(Ｐ)では比較的大きな反発力が得られるのに対し、固定端部から遠い座部の中央部分(Ｑ)では伸縮ベルトの反発力が小さくなって、クッション部材の沈み込みが大きくなる問題が生じた。
【０００６】
そして更に、上記の理由により腰掛け位置で座り心地が変わってしまうことから、ソファの快適性も損なわれ易かった。一方で、伸縮ベルトの代わりにコイルバネやＳ型バネ等を用いて弾力ムラを解消することも考えられたが、その場合には座部構造が複雑になって製造コストが高く付き易かった。
【先行技術文献】
【特許文献】
【０００７】
【特許文献１】実開昭６０−１３３９４６号公報（第１−２頁、第１―６図）
【特許文献２】特開昭６３−１１５５１１号公報（第１−７頁、第１−６図）
【考案の開示】
【考案が解決しようとする課題】
【０００８】
そこで本考案は、上記の如き問題に鑑みて為されたものであり、その目的とするところは、ソファを横長にした場合でも座部に弾力ムラが生じず、どの着座位置でも均一な座り心地を得ることができ、しかも、構造が簡単で製造コスト面でも有利なソファの座部スプリング構造を提供することにある。
【課題を解決するための手段】
【０００９】
本考案者が上記課題を解決するために採用した手段を添付図面を参照して説明すれば次のとおりである。
【００１０】
即ち、本考案は、クッション部材Ｃが載置される上面部を備え、かつ、この上面中央に矩形状或いは楕円状の開口部11が形成された座フレーム１と；この座フレーム１の開口周縁12の対向する長辺部12a・12a同士および隣り合う長辺部12aと短辺部12bに両端が固定されて、開口部11全体に斜めに交差して張設された複数のストレッチベルト２・２…とを含んで構成し、
前記座フレーム１の開口部11上に配置されたクッション部材Ｃに荷重が加えられたとき、前記斜め張りされたストレッチベルト２・２…によってクッション部材Ｃ全体を偏りなく弾性支持した点に特徴がある。
【００１１】
また本考案では、必要に応じて上記技術的手段に加え、異なる向きに張られたストレッチベルト２・２’を上下に絡めて編成するという技術的手段を採用することもできる。
【００１２】
また本考案では、必要に応じて上記技術的手段に加え、ストレッチベルト２を、芯材である弾性糸に被覆糸を巻き付けて成るカバーリング糸の布帛から作製するという技術的手段を採用することもできる。
【考案の効果】
【００１３】
本考案では、ソファの座フレームに伸縮ベルトを斜めに交差して張設することにより、ソファを横長にした場合でも一方の向きの伸縮ベルトを長く伸ばす必要がなくなるため、座部の端側に座った場合でも中央に座った場合でも同じような弾力性および座り心地を得ることができる。
【００１４】
なお、一本の伸縮ベルトに交差する異なる向きの伸縮ベルトの本数を増減させることにより、荷重が加わった際の反発力を調節することができるため、伸縮ベルトの角度を調節すればクッション部材の弾性支持に必要な反発力を容易に確保することができる。
【００１５】
また、上記伸縮ベルトを斜め張りする構造は、従来の縦横張りよりも作業難度は高いものの、コイルバネやＳ型バネ等を用いた構造と比較すれば非常に簡単な構造であるため、製造コストも低廉に抑えることができる。
【００１６】
したがって、本考案により、均一な座り心地によって使用時の快適性を向上できる機能性に優れたソファの座部スプリング構造を安価に提供できることから、本考案の実用的利用価値は頗る高い。
【図面の簡単な説明】
【００１７】
【図１】本考案の実施例１におけるソファの座部構造を表わす全体斜視図である。
【図２】本考案の実施例１におけるソファの座部構造を表わす全体斜視図である。
【図３】本考案の実施例１におけるストレッチベルトの止着部を表わす拡大斜視図である。
【図４】本考案の実施例１におけるソファ座部のスプリング機能を表わす状態説明図である。
【図５】本考案の実施例１におけるソファの座部構造を表わす全体上面図である。
【図６】本考案の変形例におけるソファの座部構造を表わす全体上面図である。
【図７】従来技術におけるソファの座部構造を表わす全体上面図である。
【考案を実施するための形態】
【００１８】
『実施例１』
まず本考案の実施例１について、図１から図６に基いて説明する。同図において、符号１で指示するものは、座フレームであり、符号２で指示するものは、ストレッチベルトである。
【００１９】
この実施例１では、矩形に囲った枠内に桟材を配設した木枠を座フレーム１に使用する(図１、図２参照)。また、この座フレーム１は、上面にクッション部材Ｃを載置することでソファＳの座部を形成できる。
【００２０】
そして、上記座フレーム１の開口部11上には、複数のストレッチベルト２・２…を斜めに交差した状態で張設する。具体的には、上記ストレッチベルト２の両端を、開口周縁12の対向する長辺部12a・12a及び隣り合う長辺部12aと短辺部12bに止着部材21aであるステープルで固定する(図３参照)。
【００２１】
なお、上記ストレッチベルト２を張設する際には、まずベルトの一端を開口周縁12の一辺に固定した後、ベルトを引っ張って高弾性が得られるように引き延ばした状態で他端部を固定する。
【００２２】
ちなみに、実施例１では、上記ストレッチベルト２に、芯材である弾性糸(材質：ゴム)に被覆糸を巻き付けて成るカバーリング糸(材質：ナイロン)の布帛から作製されたウェービングテープを使用している。
【００２３】
そしてまた、上記ストレッチベルト２・２…の張設時には、使用時に個々のストレッチベルト２が横ズレを起こさないように、向きの異なるストレッチベルト２・２同士を上下に絡ませて編成しておく。
【００２４】
上記のように構成したことにより、座フレーム１の開口部11上にクッション部材Ｃを配置した図４(a)に示すソファＳの座部に着座した際でも、図４(b)に示すように荷重により下側に撓んだクッション部材Ｃを上記張設したストレッチベルト２・２…で弾性支持できるため、適度な反発力で座り心地を向上することができる。
【００２５】
また更に、上記ストレッチベルト２・２…を斜め張りしたことにより、座フレーム１を矩形状とした場合でもストレッチベルト２の長さを抑えることができるため、ストレッチベルト２・２…の張設領域における弾力ムラが解消されてクッション部材Ｃの端側に座った場合でも、中央に座った場合でも同じような座り心地を得ることができる。
【００２６】
なお、上記ストレッチベルト２・２…の向きは、座フレーム１の長辺部12aの向きに近付け過ぎるとベルトが長くなって弾力ムラが生じ易く、また逆に短辺部12bの向きに近付け過ぎると交差するベルトの数が少なくなって充分な弾力性が得られなくなる虞れがあるため、ストレッチベルト２の幅や開口部11のサイズ等を考慮して適当な張設角度α・β(図５参照)に設定する必要がある。
【００２７】
本考案は、概ね上記のように構成されるが、本考案は図示の実施形態に限定されるものでは決してなく、「実用新案登録請求の範囲」の記載内において種々の変更が可能であって、例えば、座フレーム１の開口部11の形状は、矩形状に限らず図６に示すような楕円状であってもよく、その場合には、屈曲が小さい辺部を長辺部12aとし、屈曲が大きい辺部を短辺部12bとして考える。
【００２８】
また、ストレッチベルト２に関しても、伸縮性を有するベルト材であれば弾性糸を用いた帯状の布帛以外にもゴムベルト等を用いることもでき、また、ストレッチベルト２の固定手段についても、ステープル以外の方法を採用してもよい。
【００２９】
そしてまた、ストレッチベルト２の張設角度に関しても、異なる向きのストレッチベルト２・２’を対称に配設する必要はなく、異なる張設角度α・βに設定することもでき、何れのものも本考案の技術的範囲に属する。
【産業上の利用可能性】
【００３０】
最近では、生活を快適に送るために室内にソファを設置する需要者が増えており、市場においてはそれらの需要者が満足できる快適なソファが求められている。
【００３１】
そのような中で、本考案のソファの座部スプリング構造は、座ったときの弾力ムラを解消して座り心地を改善できる有用な技術であることから、その産業上の利用価値は非常に高い。
【符号の説明】
【００３２】
１  座フレーム
11  開口部
12  開口周縁
12a  長辺部
12b  短辺部
２  ストレッチベルト
21  止着部材
Ｓ  ソファ
Ｃ  クッション部材
【図１】
0003161605.tif 000003
【図２】
0003161605.tif 000004
【図３】
0003161605.tif 000005
【図４】
0003161605.tif 000006
【図５】
0003161605.tif 000007
【図６】
0003161605.tif 000008
【図７】
0003161605.tif 000009